(57)【要約】【課題】ハンドオーバ先のコアネットワーク装置（例えば、パケット交換局ＳＧＳＮ）に対して、ハンドオーバ先の無線アクセスネットワーク装置による「ＳＲＢ  ｏｎｌｙ  Ｈａｎｄｏｖｅｒ」を行うべきか否かについての判定結果を通知する。【解決手段】本発明に係る移動通信方法は、セル＃２を管理する無線回線制御局ＲＮＣが、移動局ＵＥのセル＃１からセル＃２へのハンドオーバ処理を「ＳＲＢ  ｏｎｌｙ  Ｈａｎｄｏｖｅｒ」として行うべきであると判定した場合、無線回線制御局ＲＮＣを収容するパケット交換局ＳＧＳＮに対して、その旨を通知する工程を有する。【選択図】図２
2012039248.tif 000002
【特許請求の範囲】
【請求項１】
移動局の第１無線アクセス方式の第１セルから第２無線アクセス方式の第２セルへのハンドオーバ処理を行う移動通信方法であって、
前記第２セルを管理する第２無線アクセスネットワーク装置が、前記移動局の前記第１セルから前記第２セルへのハンドオーバ処理をシグナリング用無線ベアラのみのハンドオーバ処理として行うべきであると判定した場合、該第２無線アクセスネットワーク装置を収容するコアネットワーク装置に対して、その旨を通知する工程を有することを特徴とする移動通信方法。
【請求項２】
移動局の第１無線アクセス方式の第１セルから第２無線アクセス方式の第２セルへのハンドオーバ処理を行うことができる移動通信システムにおいて、前記第２セルを管理する第２無線アクセスネットワーク装置として機能する無線アクセスネットワーク装置であって、
前記移動局の前記第１セルから前記第２セルへのハンドオーバ処理をシグナリング用無線ベアラのみのハンドオーバ処理として行うべきであると判定した場合に、前記第２無線アクセスネットワーク装置を収容するコアネットワーク装置に対して、その旨を通知するように構成されていることを特徴とする無線アクセスネットワーク装置。
【発明の詳細な説明】
【技術分野】
【０００１】
本発明は、移動通信方法及び無線アクセスネットワーク装置に関する。
【背景技術】
【０００２】
図６に示すように、３ＧＰＰで規定されている移動通信システムでは、移動局ＵＥのＬＴＥ（Ｌｏｎｇ  Ｔｅｒｍ  Ｅｖｏｌｕｔｉｏｎ）方式のセル＃１からＵＴＲＡ（Ｕｎｉｖｅｒｓａｌ  Ｔｅｒｒｅｓｔｒｉａｌ  Ｒａｄｉｏ  Ａｃｃｅｓｓ）方式のセル＃２へのハンドオーバ処理を、セル＃２において、セル＃１で設定されている無線ベアラのうち、シグナリング用無線ベアラ（Ｓｉｇｎａｌｉｎｇ  ｒａｄｉｏ  ｂｅａｒｅｒ）のみを引き継ぎ、データ用無線ベアラ（Ｄａｔａ  ｒａｄｉｏ  ｂｅａｒｅｒ）を引き継がない「ＳＲＢ（Ｓｉｇｎａｌｉｎｇ  ｒａｄｉｏ  ｂｅａｒｅｒ）  ｏｎｌｙ  Ｈａｎｄｏｖｅｒ」として行うことができるように規定されている。
【先行技術文献】
【非特許文献】
【０００３】
【非特許文献１】３ＧＰＰ寄書Ｒ２-１０４０２４
【非特許文献２】３ＧＰＰ寄書Ｓ２-１０３０６６
【非特許文献３】３ＧＰＰ  ＴＳ２３.４０１
【非特許文献４】３ＧＰＰ  ＴＳ２５.３３１
【非特許文献４】３ＧＰＰ  ＴＳ２５.４１３
【発明の概要】
【発明が解決しようとする課題】
【０００４】
従来の移動通信システムでは、ＵＴＲＡ方式の無線回線制御局ＲＮＣ（Ｒａｄｉｏ  Ｎｅｔｗｏｒｋ  Ｃｏｎｔｒｏｌｌｅｒ）が、移動局ＵＥのセル＃１からセル＃２へのハンドオーバ処理を「ＳＲＢ  ｏｎｌｙ  Ｈａｎｄｏｖｅｒ」として行うべきか否かについての判定を行うように構成されている。
【０００５】
しかしながら、従来の移動通信システムでは、かかる無線回線制御局ＲＮＣを収容するパケット交換局ＳＧＳＮ（Ｓｅｒｖｉｎｇ  ＧＰＲＳ  Ｓｕｐｐｏｒｔ  Ｎｏｄｅ）が、かかる判定結果について知ることができないという問題点があった。
【０００６】
そこで、本発明は、上述の課題に鑑みてなされたものであり、ハンドオーバ先のコアネットワーク装置（例えば、パケット交換局ＳＧＳＮ）に対して、ハンドオーバ先の無線アクセスネットワーク装置による「ＳＲＢ  ｏｎｌｙ  Ｈａｎｄｏｖｅｒ」を行うべきか否かについての判定結果を通知することができる移動通信方法及び無線アクセスネットワーク装置を提供することを目的とする。
【課題を解決するための手段】
【０００７】
本発明の第１の特徴は、移動局の第１無線アクセス方式の第１セルから第２無線アクセス方式の第２セルへのハンドオーバ処理を行う移動通信方法であって、前記第２セルを管理する第２無線アクセスネットワーク装置が、前記移動局の前記第１セルから前記第２セルへのハンドオーバ処理をシグナリング用無線ベアラのみのハンドオーバ処理として行うべきであると判定した場合、該第２無線アクセスネットワーク装置を収容するコアネットワーク装置に対して、その旨を通知する工程を有することを要旨とする。
【０００８】
本発明の第２の特徴は、移動局の第１無線アクセス方式の第１セルから第２無線アクセス方式の第２セルへのハンドオーバ処理を行うことができる移動通信システムにおいて、前記第２セルを管理する第２無線アクセスネットワーク装置として機能する無線アクセスネットワーク装置であって、前記移動局の前記第１セルから前記第２セルへのハンドオーバ処理をシグナリング用無線ベアラのみのハンドオーバ処理として行うべきであると判定した場合に、前記第２無線アクセスネットワーク装置を収容するコアネットワーク装置に対して、その旨を通知するように構成されていることを要旨とする。
【発明の効果】
【０００９】
以上説明したように、本発明によれば、ハンドオーバ先のコアネットワーク装置（例えば、パケット交換局ＳＧＳＮ）に対して、ハンドオーバ先の無線アクセスネットワーク装置による「ＳＲＢ  ｏｎｌｙ  Ｈａｎｄｏｖｅｒ」を行うべきか否かについての判定結果を通知することができる移動通信方法及び無線アクセスネットワーク装置を提供することができる。
【図面の簡単な説明】
【００１０】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムで用いられる「Ｒｅｌｏｃａｔｉｏｎ  Ｒｅｑｕｅｓｔ  Ａｃｋｎｏｗｌｅｄｇｅ」のフォーマットの一例を示す図である。
【図４】本発明の第１の実施形態に係る移動通信システムで用いられる「Ｒｅｌｏｃａｔｉｏｎ  Ｒｅｑｕｅｓｔ  Ａｃｋｎｏｗｌｅｄｇｅ」のフォーマットの一例を示す図である。
【図５】本発明の第１の実施形態に係る移動通信システムで用いられる「Ｒｅｌｏｃａｔｉｏｎ  Ｒｅｑｕｅｓｔ  Ａｃｋｎｏｗｌｅｄｇｅ」内の情報要素「Ｃａｕｓｅ」のフォーマットの一例を示す図である。
【図６】従来の移動通信システムの動作について説明するための図である。
【発明を実施するための形態】
【００１１】
（本発明の第１の実施形態に係る移動通信システム）
図１乃至図５を参照して、本発明の第１の実施形態に係る移動通信システムについて説明する。
【００１２】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）や、無線基地局ｅＮＢや、パケット交換局ＳＧＳＮや、無線回線制御局ＲＮＣや、無線基地局ＮＢ等を具備している。
【００１３】
ここで、無線基地局ｅＮＢは、ＬＴＥ方式の無線アクセスネットワーク装置であり、移動管理ノードＭＭＥは、かかる無線基地局ｅＮＢを収容するコアネットワーク装置である。
【００１４】
また、無線回線制御局ＲＮＣ及び無線基地局ｅＮＢは、ＵＴＲＡ方式の無線アクセスネットワーク装置であり、パケット交換局ＳＧＳＮは、無線回線制御局ＲＮＣを収容するコアネットワーク装置である。
【００１５】
なお、無線基地局ｅＮＢは、ＬＴＥ方式のセル＃１を管理しており、無線回線制御局ＲＮＣは、ＵＴＲＡ方式のセル＃２を管理している。
【００１６】
以下、図２乃至図５を参照して、本実施形態に係る移動通信システムにおける移動局ＵＥのＬＴＥ方式のセル＃１からＵＴＲＡ方式のセル＃２へのハンドオーバ処理の一部の動作について説明する。
【００１７】
図２に示すように、ステップＳ１０００において、かかるハンドオーバ処理が開始されると、ステップＳ１００１において、無線基地局ｅＮＢは、移動管理ノードＭＭＥに対して、「ＳＲＢ  ｏｎｌｙ  Ｈａｎｄｏｖｅｒ」に係る情報を含む「Ｈａｎｄｏｖｅｒ  Ｒｅｑｕｉｒｅｄ」を送信する。
【００１８】
例えば、無線基地局ｅＮＢは、「Ｈａｎｄｏｖｅｒ  Ｒｅｑｕｉｒｅｄ」内の情報要素「Ｓｏｕｒｃｅ  ＲＮＣ  ｔｏ  Ｔａｒｇｅｔ  ＲＮＣ  Ｔｒａｎｓｐａｒｅｎｔ  Ｃｏｎｔａｉｎｅｒ」内の情報要素「ＳＲＢ  ｏｎｌｙ  ＨＯ  ｓｕｐｐｏｒｔ」によって、「ＳＲＢ  ｏｎｌｙ  Ｈａｎｄｏｖｅｒ」に係る情報を送信するように構成されている。
【００１９】
なお、かかる「ＳＲＢ  ｏｎｌｙ  Ｈａｎｄｏｖｅｒ」に係る情報は、移動局ＵＥにおいて「ＳＲＢ  ｏｎｌｙ  Ｈａｎｄｏｖｅｒ」がサポートされているか否かについて示してもよい。
【００２０】
例えば、無線基地局ｅＮＢは、移動局ＵＥとの間で、「ＲＲＣ  Ｃｏｎｎｅｃｔｉｏｎ」を設定する際等に、「ＵＥ  Ｃａｐａｂｉｌｉｔｙ  Ｉｎｆｏｒｍａｔｉｏｎ」を介して、かかる移動局ＵＥにおいて「ＳＲＢ  ｏｎｌｙ  Ｈａｎｄｏｖｅｒ」がサポートされているか否かについて示す情報を取得するように構成されている。
【００２１】
また、かかる「ＳＲＢ  ｏｎｌｙ  Ｈａｎｄｏｖｅｒ」に係る情報は、移動局ＵＥのセル＃１からセル＃２へのハンドオーバ処理を「ＳＲＢ  ｏｎｌｙ  Ｈａｎｄｏｖｅｒ」として行うべきであるか否かについて示してもよい。
【００２２】
例えば、無線基地局ｅＮＢは、移動局ＵＥにおいて「ＳＲＢ  ｏｎｌｙ  Ｈａｎｄｏｖｅｒ」がサポートされているか否かについて示す情報等を参照して、移動局ＵＥのセル＃１からセル＃２へのハンドオーバ処理を「ＳＲＢ  ｏｎｌｙ  Ｈａｎｄｏｖｅｒ」として行うべきであるか否かについて判定するように構成されている。
【００２３】
ステップＳ１００２において、移動管理ノードＭＭＥは、パケット交換局ＳＧＳＮに対して、上述の「ＳＲＢ  ｏｎｌｙ  Ｈａｎｄｏｖｅｒ」に係る情報を含む「Ｆｏｒｗａｒｄ  Ｒｅｌｏｃａｔｉｏｎ  Ｒｅｑｕｅｓｔ」を送信する。
【００２４】
ステップＳ１００３において、パケット交換局ＳＧＳＮは、無線回線制御局ＲＮＣに対して、上述の「ＳＲＢ  ｏｎｌｙ  Ｈａｎｄｏｖｅｒ」に係る情報を含む「Ｒｅｌｏｃａｔｉｏｎ  Ｒｅｑｕｅｓｔ」を送信する。
【００２５】
ステップＳ１００４において、無線回線制御局ＲＮＣは、上述の「ＳＲＢ  ｏｎｌｙ  Ｈａｎｄｏｖｅｒ」に係る情報に基づいて、移動局ＵＥのセル＃１からセル＃２へのハンドオーバ処理を「ＳＲＢ  ｏｎｌｙ  Ｈａｎｄｏｖｅｒ」として行うべきか否かについて判定する。
【００２６】
ステップＳ１００５において、無線回線制御局ＲＮＣは、パケット交換局ＳＧＳＮに対して、「Ｒｅｌｏｃａｔｉｏｎ  Ｒｅｑｕｅｓｔ  Ａｃｋｎｏｗｌｅｄｇｅ」を送信する。
【００２７】
ここで、無線回線制御局ＲＮＣは、ステップＳ１００４において、移動局ＵＥのセル＃１からセル＃２へのハンドオーバ処理を「ＳＲＢ  ｏｎｌｙ  Ｈａｎｄｏｖｅｒ」として行うべきであると判定した場合には、ステップＳ１００５において、その旨を示す「Ｒｅｌｏｃａｔｉｏｎ  Ｒｅｑｕｅｓｔ  Ａｃｋｎｏｗｌｅｄｇｅ」を送信する。
【００２８】
例えば、無線回線制御局ＲＮＣは、図３に示すように、かかる「Ｒｅｌｏｃａｔｉｏｎ  Ｒｅｑｕｅｓｔ  Ａｃｋｎｏｗｌｅｄｇｅ（３ＧＰＰのＴＳ２５.４１３参照）」に、情報要素「ＳＲＢ  ｏｎｌｙ  ＨＯ  Ｉｎｄｉｃａｔｏｒ」を設定してもよい。
【００２９】
ここで、情報要素「ＳＲＢ  ｏｎｌｙ  ＨＯ  Ｉｎｄｉｃａｔｏｒ」は、無線回線制御局ＲＮＣが、移動局ＵＥのセル＃１からセル＃２へのハンドオーバ処理を「ＳＲＢ  ｏｎｌｙ  Ｈａｎｄｏｖｅｒ」として行うべきであると判定したことを示すインディケータである。
【００３０】
或いは、無線回線制御局ＲＮＣは、図４及び図５に示すように、かかる「Ｒｅｌｏｃａｔｉｏｎ  Ｒｅｑｕｅｓｔ  Ａｃｋｎｏｗｌｅｄｇｅ（３ＧＰＰのＴＳ２５.４１３参照）」内の情報要素「ＲＡＢｓ  Ｆａｉｌｅｄ  Ｔｏ  Ｓｅｔｕｐ  Ｌｉｓｔ」内の情報要素「ＲＡＢｓ  Ｆａｉｌｅｄ  Ｔｏ  Ｓｅｔｕｐ  Ｉｔｅｍ  ＩＥｓ」内の情報要素「Ｃａｕｓｅ」内に、「ＳＲＢ  ｏｎｌｙ  ＨＯ  Ｔｒｉｇｇｅｒｅｄ」を示す値を設定してもよい。
【００３１】
ステップＳ１００６において、パケット交換局ＳＧＳＮは、移動管理ノードＭＭＥに対して、上述の判定結果を含む「Ｆｏｒｗａｒｄ  Ｒｅｌｏｃａｔｉｏｎ  Ｒｅｑｕｅｓｔ  Ｒｅｓｐｏｎｓｅ」を送信する。
【００３２】
ステップＳ１００７において、移動管理ノードＭＭＥは、受信した「Ｆｏｒｗａｒｄ  Ｒｅｌｏｃａｔｉｏｎ  Ｒｅｑｕｅｓｔ  Ｒｅｓｐｏｎｓｅ」に含まれている「Ｈａｎｄｏｖｅｒ  Ｃｏｍｍａｎｄ」を、無線基地局ｅＮＢに対して送信する。
【００３３】
ここで、かかる「Ｈａｎｄｏｖｅｒ  Ｃｏｍｍａｎｄ」内の情報要素「Ｅ−ＲＡＢ  ｔｏ  Ｒｅｌｅａｓｅ  Ｌｉｓｔ」に、上述のハンドオーバ処理後に開放するデータ用無線ベアラのリストが含まれていてもよい。
【００３４】
ステップＳ１００８において、無線基地局ｅＮＢは、移動局ＵＥに対して、「ＨＯ  ｆｒｏｍ  Ｅ-ＵＴＲＡＮ  Ｃｏｍｍａｎｄ」を送信する。
【００３５】
本実施形態に係る移動通信システムによれば、無線回線制御局ＲＮＣが、「Ｒｅｌｏｃａｔｉｏｎ  Ｒｅｑｕｅｓｔ  Ａｃｋｎｏｗｌｅｄｇｅ」内に設定可能な情報要素「ＳＲＢ  ｏｎｌｙ  ＨＯ  Ｉｎｄｉｃａｔｏｒ」によって、パケット交換局ＳＧＳＮに対して、移動局ＵＥのセル＃１からセル＃２へのハンドオーバ処理を「ＳＲＢ  ｏｎｌｙ  Ｈａｎｄｏｖｅｒ」として行うべきであると判定したことを通知することができる。
【００３６】
或いは、本実施形態に係る移動通信システムによれば、無線回線制御局ＲＮＣが、「Ｒｅｌｏｃａｔｉｏｎ  Ｒｅｑｕｅｓｔ  Ａｃｋｎｏｗｌｅｄｇｅ」内の情報要素「Ｃａｕｓｅ」に設定可能な「ＳＲＢ  ｏｎｌｙ  ＨＯ  Ｔｒｉｇｇｅｒｅｄ」を示す値によって、パケット交換局ＳＧＳＮに対して、移動局ＵＥのセル＃１からセル＃２へのハンドオーバ処理を「ＳＲＢ  ｏｎｌｙ  Ｈａｎｄｏｖｅｒ」として行うべきであると判定したことを通知することができる。
【００３７】
以上に述べた本実施形態の特徴は、以下のように表現されていてもよい。
【００３８】
本実施形態の第１の特徴は、移動局ＵＥのＬＴＥ方式（第１無線アクセス方式）のセル＃１（第１セル）からＵＴＲＡ（第２無線アクセス方式）のセル＃２（第２セル）へのハンドオーバ処理を行う移動通信方法であって、セル＃２を管理する無線回線制御局ＲＮＣ（第２無線アクセスネットワーク装置）が、移動局ＵＥのセル＃１からセル＃２へのハンドオーバ処理を「ＳＲＢ  ｏｎｌｙ  Ｈａｎｄｏｖｅｒ（シグナリング用無線ベアラのみのハンドオーバ処理）」として行うべきであると判定した場合、無線回線制御局ＲＮＣを収容するパケット交換局ＳＧＳＮ（コアネットワーク装置）に対して、その旨を通知する工程を有することを要旨とする。
【００３９】
本実施形態の第２の特徴は、移動局ＵＥのＬＴＥ方式のセル＃１からＵＴＲＡ方式のセル＃２へのハンドオーバ処理を行うことができる移動通信システムにおいて、セル＃２を管理する無線回線制御局ＲＮＣであって、移動局ＵＥのセル＃１からセル＃２へのハンドオーバ処理を「ＳＲＢ  ｏｎｌｙ  Ｈａｎｄｏｖｅｒ」として行うべきであると判定した場合に、パケット交換局ＳＧＳＮに対して、その旨を通知するように構成されていることを要旨とする。
【００４０】
なお、上述の移動管理ノードＭＭＥやパケット交換局ＳＧＳＮや無線回線制御局ＲＮＣや無線基地局ｅＮＢ/ＮＢや移動局ＵＥの動作は、ハードウェアによって実施されてもよいし、プロセッサによって実行されるソフトウェアモジュールによって実施されてもよいし、両者の組み合わせによって実施されてもよい。
【００４１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥやパケット交換局ＳＧＳＮや無線回線制御局ＲＮＣや無線基地局ｅＮＢ/ＮＢや移動局ＵＥ内に設けられていてもよい。また、かかる記憶媒体及びプロセッサは、ディスクリートコンポーネントとして移動管理ノードＭＭＥやパケット交換局ＳＧＳＮや無線回線制御局ＲＮＣや無線基地局ｅＮＢ/ＮＢや移動局ＵＥ内に設けられていてもよい。
【００４３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４４】
ＵＥ…移動局
ｅＮＢ、ＮＢ…無線基地局
ＭＭＥ…移動管理ノード
ＳＧＳＮ…パケット交換局
ＲＮＣ…無線回線制御局
【図１】
2012039248.tif 000003
【図２】
2012039248.tif 000004
【図３】
2012039248.tif 000005
【図４】
2012039248.tif 000006
【図５】
2012039248.tif 000007
【図６】
2012039248.tif 000008